(57)【要約】【課題】ファンの回転に伴うケーシングの振動を効果的に低減する。【解決手段】モーター２０３を支持する環状の第１の弾性体２０５を備え、前記第１の弾性体２０５は、内周面２０９の下部２０９ａを前記モーターの支持面に沿った平面状に形成するとともに、内周面２０９の上部２０９ｂに前記モーターの支持面との間に空間部２１０を設けて突起２１１を形成し、前記突起２１１の先端を前記モーターの支持部の表面に当接するように突出させて支持するようにしたものである。【選択図】図１
2010071086.tif 000002
【特許請求の範囲】
【請求項１】
ファンと、前記ファンを収容するケーシングと、回転軸を水平方向として前記ファンを回転駆動するモーターと、前記モーターを支持する環状の弾性体とを備え、前記弾性体は、内周面の下部を前記モーターの支持面に沿った平面状に形成するとともに、内周面の上部に前記モーターの支持面との間に空間部を設けて突起を形成し、前記突起の先端を前記モーターの支持面に当接するように突出させて支持するようにした電動送風機。
【請求項２】
弾性体は、突起をモーターの支持部の表面に沿って環状に形成した請求項１記載の電動送風機。
【請求項３】
ファンと反対側のモーターをケーシングに支持する取付具を設け、弾性体は、前記モーターのファン側を支持する第１の弾性体と、前記モーターの取付具側を支持する第２の弾性体とで構成した請求項１または２記載の電動送風機。
【請求項４】
ファンと反対側のモーターをケーシングに支持する取付具を設け、弾性体は、前記モーターのファン側を支持する第１の弾性体と、前記モーターの取付具側を支持する第２の弾性体とで構成し、前記第１の弾性体のみに突起を形成した請求項１〜３のいずれか１項に記載の電動送風機。
【請求項５】
請求項１〜４のいずれか１項に記載の電動送風機を備えた乾燥装置。
【発明の詳細な説明】
【技術分野】
【０００１】
本発明は、電動送風機と、この電動送風機を備えた乾燥装置に関するものである。
【背景技術】
【０００２】
近年、衣類乾燥機では、同一の回転槽で洗濯、脱水および乾燥を行うドラム式の洗濯乾燥機の市場が急速に拡大しており、従来のヒータ式に対し、衣類の痛みが少なく、省エネに優れたヒートポンプ式の洗濯乾燥機が市場に投入されてきている。従来、回転槽とヒートポンプユニットやヒータの間を循環する送風回路内には通常のダクト抵抗のみでなく、衣類などから出る糸埃等を除去するためのフィルターに糸埃がある程度付着しても送風作用を劣化させないため、スクロール型のケーシングを持つ遠心型の送風機が用いられてきた。しかし、洗濯乾燥機の筐体の小型化のために送風回路のダクト断面積が小型化したりやヒートポンプの小型化、ヒートポンプユニット内の吸熱器、放熱器の性能を向上するためにフィンピッチを詰めるなど、送風回路内のダクト抵抗が増加する場合にスクロール型のケーシングを持つ遠心型の送風機において、送風騒音の増加や送風性能の低下を抑えることが求められている。
【０００３】
電動送風機の流体騒音と振動を低減するために、図１４に示すような構成が考えられている。ファン１０１はケーシング１０２内に収容され、モーター１０３により回転させる。ケーシング１０２の吸気側の内面には、円形の吸込口１０４の中心を中心点として、環状のリブ１０５が形成されている。このリブ１０５は、ケーシング１０２に固着した弾性体１０６と、この弾性体１０６に取り付けた錘１０７とで構成されている。この弾性体１０６と錘１０７により構成された環状のリブ１０５により、ケーシング１０２内でファン出口から出た風が吸気口１０４に再度循環するような流れＡを遮ることにより流体騒音を低減し、また、弾性体１０６と錘１０７が動吸振器として作用し、ケーシング１０２の振動を抑えるものである（例えば、特許文献１参照）。
【０００４】
また、一般的な電動送風機の防振装置として、モーターを防振ゴムで支持する構成がとられている（例えば、特許文献２参照）。
【特許文献１】特開２００８−１０４４７７号公報
【特許文献２】特公平５−３６０５２号公報
【発明の開示】
【発明が解決しようとする課題】
【０００５】
しかしながら、上記のような従来の構成では、動吸振器として利用する錘や弾性体の設定が困難であり、ケーシング１０２の重量によっては、動吸振器としての効果を出すために錘の重量が重くなり、電動送風機自体の重量が重くなるという問題がある。また、このような電動送風機を、その回転軸が地面と水平となるように用いる場合は、モーター１０３の自重により重力方向に力が作用し、ファン１０１の回転軸がずれたり、傾いて振動が大きくなる。したがって、この回転軸が傾くのを防止するために、モーター１０３をケーシング１０２によって強固に支持する必要がある。
【０００６】
しかしながら、このような強固な支持は、ファン１０１の回転振動が、モーター１０３を介して、ケーシング１０２に伝わる振動伝達力を大きくすることになって、ケーシング１０２の振動が大きくなるという課題がある。つまり、ケーシング１０２の振動を低減するためには、回転軸の傾き防止と振動伝達力の低減という、相反する課題を解決する必要があった。
【０００７】
本発明は、上記従来の課題を解決するもので、ケーシングの振動を低減することを目的とする。
【課題を解決するための手段】
【０００８】
前記従来の課題を解決するために、本発明の電動送風機は、モーターを支持する環状の弾性体を備え、前記弾性体は、内周面の下部を前記モーターの支持面に沿った平面状に形成するとともに、内周面の上部に前記モーターの支持面との間に空間部を設けて突起を形成し、前記突起の先端を前記モーターの支持面に当接するように突出させて支持するようにしたものである。
【０００９】
これにより、下方にかかるモーターの重みを弾性体の内周面の下部で強固に支持して回転軸の傾きを防止するとこができるとともに、内周面の上部はモーターとの接触面積を少なくしてケーシングへの振動伝達を小さくすることができ、回転軸の傾き防止と振動伝達力の低減という、相反する課題が解決されて、ファンの回転に伴うケーシングの振動を効果的に低減することができる。
【発明の効果】
【００１０】
本発明の電動送風機は、回転軸の傾き防止と振動伝達力を低減して、ファンの回転に伴うケーシングの振動を効果的に低減することができる。
【発明を実施するための最良の形態】
【００１１】
第１の発明は、ファンと、前記ファンを収容するケーシングと、回転軸を水平方向として前記ファンを回転駆動するモーターと、前記モーターを支持する環状の弾性体とを備え、前記弾性体は、内周面の下部を前記モーターの支持面に沿った平面状に形成するとともに、内周面の上部に前記モーターの支持面との間に空間部を設けて突起を形成し、前記突起の先端を前記モーターの支持面に当接するように突出させて支持するようにしたことにより、モーターから弾性体の内周面にかかる下方への力は固くしっかりと受けることができ、上方への力は柔らかく受けることができる。したがって、電動送風機が、前記ファンの回転軸が地面と水平となるように利用された場合でも、モーターの自重による下方への力によってファンの回転軸がずれたり、傾くのを防止することができるとともに、ファンの回転振動によりファンとつながるモーターが振動し、その振動がケーシングに伝達する力を緩衝してケーシングの振動を低減することができる。
【００１２】
第２の発明は、特に、第１の発明の弾性体は、突起をモーターの支持部の表面に沿って環状に形成したことにより、モーターの自重による下方への力が、モーターへとかかるモーメントとして作用し、ファンの回転軸を傾けようと作用する力を、弾性体の内周面の上側半分で受ける力を大きくすることができ、モーターの自重が大きく、より大きな力がかかった場合でも、モーターによる下方への力をより安定して支持することができる。また、この突起によりケーシングへの振動伝達は小さくすることができるので、ケーシングの振動を低減することができる。
【００１３】
第３の発明は、特に、第１または第２の発明のファンと反対側のモーターをケーシングに支持する取付具を設け、弾性体は、前記モーターのファン側を支持する第１の弾性体と、前記モーターの取付具側を支持する第２の弾性体とで構成したことにより、モーターの回転軸方向の離れた位置でモーターを安定して支持することができるとともに、ケーシングへの振動伝達を少なくすることができる。
【００１４】
第４の発明は、特に、第１〜第３のいずれか１つの発明のファンと反対側のモーターをケーシングに支持する取付具を設け、弾性体は、前記モーターのファン側を支持する第１の弾性体と、前記モーターの取付具側を支持する第２の弾性体とで構成し、前記第１の弾
性体のみに突起を形成したことにより、第１および第２の弾性体の両方に突起を設けた場合に比べて、モーターの支持の安定性を向上させることができる。また、どちらか一方に突起を設ける場合、第１の弾性体に突起を設けると、モーターの下方への力が、ファンの回転軸を回転させようと働くモーメントに対する弾性体による反力モーメントが、第２の弾性体のみに突起を設けた場合に比べて大きくなり、より安定して前記モーターを支持することができる。
【００１５】
第５の発明は、特に、第１〜第４のいずれか１つの発明の電動送風機を備えた乾燥装置である。衣類乾燥機、洗濯乾燥機等の乾燥装置においては、小型化により電動送風機の設置スペースが限られるため、電動送風機をファンの回転軸が地面と水平になるように設置した場合、上述してきたように、送風機の振動が大きくなる。また、洗濯乾燥機においては、より早く衣類を乾燥させるべく、ファンの回転数を大きくして大風量化すると、回転音や振動音が大きくなる。
【００１６】
そこで、本発明による電動送風機を衣類乾燥機、洗濯乾燥機の乾燥装置に利用することにより、例えば、乾燥運転時の電動送風機の振動を低減して騒音を少なくすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電動送風機の断面図、図２は、同電動送風機の弾性体の構成図である。図１および図２に示すように、電動送風機２００は、ファン２０１と、このファン２０１を収容するケーシング２０２と、ファン２０１を回転駆動させるモーター２０３で構成されている。以下、ファン２０１の回転軸が地面と水平となるように配置した状態において、その構成、および特徴を説明する。
【００１９】
ファン２０１の回転中心部には孔が設けられ、その孔にモーター２０３の回転軸２０４が通るようになっており、ファン２０１とモーター２０３の回転軸２０４は固定された状態となっている。モーター２０３は図１に示すような位置に配置されており、ケーシング２０２とモーター２０３との間には、ファン２０１およびモーター２０３からの振動がケーシング２０２に伝わりにくくするために第１の弾性体２０５が挟まれている。
【００２０】
また、モーター２０３は、ファン２０１の反対側を取付具２０６によりケーシング２０２に取り付けているが、この部分からもモーター２０３の振動がケーシング２０２に伝わるため、モーター２０３と取付具２０６との間にも第２の弾性体２０７を挟むようにして、モーター２０３とケーシング２０２を固定している。
【００２１】
第１の弾性体２０５および第２の弾性体２０７は、図２に示すように環状に形成され、中央に貫通孔２０８を有するドーナツ形状となっており、モーター２０３の両端部に位置し回転軸２０４方向に離れて設けた支持部２０３ａ、２０３ｂを中央の貫通孔２０８に通して支持する構成であり、第１の弾性体２０５でモーター２０３の支持部２０３ａを支持し、第２の弾性体２０７でモーター２０３の支持部２０３ｂを支持する。
【００２２】
第１および第２の弾性体２０５、２０７の貫通孔２０８の内周面２０９の下部２０９ａ、すなわち下半分は、モーター２０３の支持部２０３ａ、２０３ｂの表面に沿った平面状に形成している。そして、内周面２０９の上部２０９ｂ、すなわち上半分は、モーター２０３の支持部２０３ａ、２０３ｂの表面との間に空間部２１０を設けて環状の突起２１１を一列に形成している。
【００２３】
したがって、モーター２０３は、第１および第２の弾性体２０５、２０７の下部２０９ａの表面全体で支持され、上部２０９ｂは、先端がモーター２０３の支持部２０３ａ、２０３ｂに当接するように突出させた環状の突起２１１で支持される。第１および第２の弾性体２０５、２０７は、例えば、耐熱性を有するＥＰＤＭ等の防振ゴムを使用する。
【００２４】
以上のように構成した電動送風機の作用について、図３および図４により説明する。ファン２０１の回転軸が地面と水平になるように電動送風機２００を使用する場合、モーター２０３の自重により下方に力がかかり、第１および第２の弾性体２０５、２０７が変形し、図３に示すように、ファン２０１の回転軸は、ＩからＩＩのようにずれることがある。回転軸がずれると、ファン２０１は図４の点線で示すように、傾いた状態で回転することとなり、回転中の振動が大きくなる。そして、このような現象を防止するために、各弾性体２０５、２０７に使用する防振ゴムの硬度を堅くし、モーター２０３の静的荷重を支えられるように支持部分を固くし、回転軸がずれないように固定されている。
【００２５】
しかしながら、この各弾性体２０５、２０７による支持部分を固くして固定すると、ファン２０１およびモーター２０３の回転振動が、各弾性体２０５、２０７を通して、ケーシング２０２に伝達され易く、運転中のケーシング２０２の振動が大きくなる。このケーシング２０２の振動を抑えるためには、各弾性体２０５、２０７の硬度をある程度軟らかくする必要があるが、軟らかくしすぎると、各弾性体２０５、２０７がモーター２０３の静的荷重に対して変形しやすくなり、上述したような回転軸がずれるというような現象が生じ、実際には、これら両方の現象を弾性体のゴム硬度等の物性で解決するのは非常に困難である。
【００２６】
本発明により、これらの相反する課題が一挙に解決されるものである。すなわち、モーター２０３の荷重によりファン２０１の回転軸を傾けようとする力は、第１および第２の弾性体２０５、２０７の下部２０９ａの全面でしっかりと受ける。そして、環状の突起２１１を設けた上部２０９ｂは、モーター２０３との接触面積が少なくなっているので、ファン２０１およびモーター２０３が振動した時に、その振動がケーシング２０２に伝わる際の伝達力は小さくなる。また、突起２２１は、モーター２０３の支持部２０３ａ、２０３ｂとの間に空間部２１０を設けて支持しているので変形しやすく、振動を緩衝してケーシング２０２へ振動される伝達を小さくし、ケーシング２０２の振動を低減することができる。
【００２７】
（実施の形態２）
図５は、本発明の第２の実施の形態における弾性体の構成図である。本実施の形態の特徴は、弾性体に設けた環状の突起２１１を複数列に設けたところである。他の構成については、第１の実施の形態と同様であり、同一の構成要素については同一の符号を付して、その詳細な説明は第１の実施の形態のものを援用する。
【００２８】
本実施の形態は、図５に示すように、第１および第２の弾性体２０５、２０７の貫通孔２０８の内周面２０９の上部２０９ｂに環状の突起２１１を３列に設けたものである。これにより、モーター２０３の荷重により、ファン２０１の回転軸を傾けようとする力を、図６に示すように、第１および第２の弾性体２０５、２０７の上部２０９ｂで受ける力を大きくすることができ、ファン２０１の回転軸がより傾きにくくなる。これは、例えば、モーター２０３の自重が大きく、実施の形態１の構成では、回転軸の傾きを抑えることができないような場合に有効である。
【００２９】
また、電動送風機２００を長時間駆動させた場合、モーター２０３の温度が上昇し、それと接している弾性体も軟らかくなるため、弾性体が変形しやすくなり、よりファン２０
１の回転軸が傾きやすくなる。こういった現象を解消するのに、本実施の形態はより有効である。
【００３０】
また、本実施の形態においても、突起２１１をモーター２０３と接することによるモーター２０３との接触面積を減らす効果や、突起２１１の変形のしやすさを利用した振動伝達を低減する効果は、突起２１１を設けない場合に比べて有効に働くので、本実施の形態により、多様な条件下で電動送風機２００の振動を効果的に低減できることになる。
【００３１】
（実施の形態３）
図７は、本発明の第３の実施の形態の弾性体の構成図である。本実施の形態の特徴は、弾性体の内周面２０９の上部２０９ａに設けた突起２１１を、貫通孔２０８の中心を中心点として放射状に設けたところである。他の構成については、第１の実施の形態と同様であり、同一の構成要素については同一の符号を付して、その詳細な説明は第１の実施の形態のものを援用する。
【００３２】
本実施の形態は、図７に示すように、第１および第２の弾性体２０５、２０７の内周面２０９の上部２０９ａ、すなわち上半分に設けた突起２１１を、ドーナツ形状の中空部である貫通孔２０８の一端から他端まで複数の棒状体で構成し、それらをドーナツ形状の中心を中心点として放射状に配置したものである。
【００３３】
これにより、ファン２０１の回転軸を傾けようとする力を強く受けることができ、ファン２０１の回転軸をより傾きにくくすることができる。ここで、突起２１１を構成する棒状体は、必ずしも貫通孔２０８の一端から他端まで設ける必要はないが、両端まで設けることにより、ファン２０１の回転軸を傾けようとするモーター２０３の動きをより強固に制限することができ、その結果、ファン２０１の回転軸が傾かないように、より安定してモーター２０３を支持することができる。
【００３４】
（実施の形態４）
図９は、本発明の第４の実施の形態における弾性体の構成図である。本実施の形態の特徴は、弾性体２０５の内周面２０９の上部２０９ａ、すなわち上半分に設けた突起２１１を球状に形成したところである。他の構成については、第１の実施の形態と同様であり、同一の構成要素については同一の符号を付して、その詳細な説明は第１の実施の形態のものを援用する。
【００３５】
本実施の形態は、図９に示すように、第１および第２の弾性体２０５、２０７の内周面２０９の上部２０９ａ、すなわち上半分に、複数の球状に形成した突起２１１を環状に一列に配置したものである。
【００３６】
これにより、突起部２１１によりモーター２０３に接する接触面積を少なくすることができ、ケーシング２０２への振動伝達を減少することができる。モーター２０３の自重がそれほど重くない場合には、ファン２０１の回転軸の傾きをそれほど気にする必要はなく、ケーシング２０２への振動伝達を減らすことを考えればよいので、本実施の形態により、さらに効果的に電動送風機２００の振動を低減することができる。
【００３７】
（実施の形態５）
図１０は、本発明の第５の実施の形態における電動送風機の構成図である。本実施の形態の特徴は、第１の弾性体２０５のみに突起２１１を設けたところである。他の構成については、第１の実施の形態と同様であり、同一の構成要素については同一の符号を付して、その詳細な説明は第１の実施の形態のものを援用する。
【００３８】
本実施の形態は、図１０に示すように、第１の弾性体２０５のみに突起２１１を設け、第２の弾性体２０７には突起は設けず、内周面２０９の全周でモーター２０３の支持部２０３ｂを支持するようにしている。
【００３９】
図１１に示す通り、電動送風機２００をファン２０１の回転軸が、地面と水平となるようにした場合、第１および第２の弾性体２０５、２０７が変形し、回転軸が傾こうとする時の支点は、ほぼ第１の弾性体２０５がある場所となる。よって、第１の弾性体２０５では、モーター２０３の自重によるモーメントＭ１を打ち消そうとするモーメントは発生せず、第２の弾性体２０７のモーメントＭ２によって、モーター２０３の自重による回転軸を傾けようとするモーメントＭ１を支えることになる。
【００４０】
このことから、弾性体２０７の内周面２０９の全周でより固くモーター２０３を支持することができる。また、ファン２０１が振動することによるモーター２０３の振動による動的な力は、第１および第２の弾性体２０５、２０７に同等に伝わるので、第１の弾性体２０５に突起２１１を設けることによって、第１および第２の弾性体２０５、２０７からケーシング２０２への振動伝達を緩和することができる。
【００４１】
以上のような構成とすることにより、より安定してモーター２０３の静的荷重を支えるとともに、ケーシング２０２の振動を低減することができる。
【００４２】
（実施の形態６）
図１２は、本発明の第６の実施の形態における洗濯乾燥機の側断面図、図１３は同背面図である。本実施の形態は、前記実施の形態１〜５に記載した電動送風機２００を洗濯乾燥機の乾燥装置として適用したものである。
【００４３】
図１２および図１３に示すように、筐体１の内部には、複数のサスペンション２によって弾性的に支持された円筒状の外槽３を設け、洗濯、脱水時の振動をサスペンション２によって吸収する。外槽３の内部には、衣類４を収容する円筒状の回転槽５を回転可能に設け、駆動モーター６により回転駆動される。回転槽５は洗濯工程においては洗濯室となり、乾燥工程においては乾燥室となる。外槽３および回転槽５は、前面よりも背面が下がるように設けられており、回転槽５の回転軸方向が水平方向から２０〜３０度傾斜している。
【００４４】
筐体１の前面には、衣類４を出し入れする開口部１ａと、これを開閉する扉７が設けられている。外槽３および回転槽５の前面側にも同様の開口部３ａ、５ｂを有し、この外槽３の開口部３ａはベローズ８によって筐体１の開口部１ａと水密に連結されている。
【００４５】
外槽３の底部には洗濯水を排出する排水口９を有し、排水弁１０に連結されている。また、外槽３には溢水口１２が設けられ、所定の水位以上に水が供給された場合には、溢れた水は溢水ホース１３を介して排水ホース１１へ流れて機外に排出される。
【００４６】
電動送風機２００の設置場所は、図１３に示すように、外槽３の背面下部の筐体１内の空きスペース１４に設けた乾燥用空気を暖める熱源として利用されるヒートポンプ装置３０の側面に、送風機２００の回転軸が地面と水平となるように設けている。この場合、電動送風機２００の吸込口は、ヒートポンプ装置３０内に開口しており、ヒートポンプ装置３０の内部を流れてきた空気は、電動送風機２００の吸込口へと至るように構成されている。
【００４７】
電動送風機２００は、外槽３の外面に設けた給気ダクト３１と連通し、給気ダクト３１の給気ダクト入口３２から入った乾燥用空気を矢印ｃの方向に送風して給気口３３から回
転槽５内に供給する。また、外槽３の外面には、外槽３の上方に設けられた排気口３４と連通する排気ダクト３５を設け、回転槽５および外槽３を通過して排気口３４から出てきた空気を、矢印ｄのように導出する。
【００４８】
また、電動送風機２００と給気ダクト入口３２とは、蛇腹状の伸縮可能な可撓性材料からなる給気口ホース４１を介して連通し、排気口３４と排気ダクト３５の入口も同様に、蛇腹状の伸縮可能な可撓性材料からなる排気口ホース４２を介して連通しており、外槽３の振動がヒートポンプ装置３０へと伝達されることを防いでいる。
【００４９】
また、空気循環路の途中には、空気中の異物を除去するフィルター手段として合繊ネット等からなるリントフィルター４３を着脱可能に設けている。制御手段４４は、駆動モーター６、排水弁１０、送風手段としての電動送風機２００およびヒートポンプ装置３０等を駆動して、洗濯、脱水、乾燥の各工程を逐次制御する。
【００５０】
以上のような構成において、次に、この動作について説明する。洗濯工程では、排水弁１０を閉じた状態で外槽３内に所定の水位に達するまで給水を行い、駆動モーター６により衣類４と洗浄水の入った回転槽５を回転させて衣類４の洗濯を行う。
【００５１】
また、洗濯後の濯ぎ工程でも、洗濯工程と同様に外槽３内に給水を行い、回転槽５を回転させて衣類４の濯ぎを行う。脱水工程では、排水弁１０を開いて機外へ水を排水した後、駆動モーター６により衣類４の入った回転槽５を高速回転して脱水する。
【００５２】
乾燥工程では、ヒートポンプ装置３０の圧縮機３０ａを作動させると、冷媒が圧縮され、この圧力によりヒートポンプ装置３０を構成する放熱器３０ｂ、絞り手段、吸熱器３０ｃを循環する。放熱器３０ｂでは冷媒の圧縮で熱が放出され、吸熱器３０ｃでは絞り手段で減圧されて低圧となった冷媒により熱が吸収される。
【００５３】
このとき電動送風機２００が作動し、放熱器３０ｂの放熱により加熱された温風が給気ダクト３１を通って給気口３３から外槽３および回転槽５内に送風される。回転槽５は駆動モーター６により回転駆動され衣類４は上下に撹拌される。回転槽５内に送風された温風は、この衣類４の隙間を通るときに水分を奪い、湿った状態で外槽３の排気口３４を経て排気ダクト３５を通り、リントフィルター４３を通過してリント等の異物が除去され、熱交換風路に至る。この湿った温風は、吸熱器３０ｃを通過する際に顕熱と潜熱が奪われて除湿され、乾いた空気と除湿水に分離される。この乾いた空気は、放熱器３０ｂで再び加熱され温風となって電動送風機２００へと循環する。
【００５４】
以上のように、乾燥行程時には、電動送風機２００により乾燥用空気を送風して循環させて衣類４を乾燥させる。この時には、主に駆動している電動送風機２００やヒートポンプ装置３０が音源となって様々な騒音が発生する。特に、電動送風機２００による騒音は、ファン２０１が回転することによる風切り音、或いは、電動送風機２００内の風の流れに起因する流体音、さらには、電動送風機２００の製造上のアンバランスによる振動音等が、乾燥工程時にもたらす騒音の影響は大きい。
【００５５】
この中で、特に、ファン２０１の回転による風切り音、および電動送風機２００内の流体音は小さくなってきているが、洗濯乾燥機においては、電動送風機２００の振動音が大きく、ヒートポンプ装置３０を用いた洗濯乾燥機の場合、循環風路内の圧力損失が大きく、衣類４を短時間に乾燥させるために大風量を出すためには、電動送風機２００の駆動回転数を高く設定する必要がある。これにより、振動音もより高い周波数帯の騒音となり、耳障りな音となる。
【００５６】
また、本実施の形態のように設置スペースの関係で、電動送風機２００を回転軸が水平となるように設けた場合には、実施の形態１〜５で説明したような振動も発生する。洗濯乾燥機においては、乾燥に長時間を要し、その間は常に電動送風機２００のモーター２０３が駆動しているため、モーター２０３の温度が上昇し、その熱が各弾性体２０５、２０７に伝わり、各弾性体が軟らかくなって、これらの振動が大きくなりやすい。
【００５７】
しかしながら、本発明は、実施の形態１〜５に記載の電動送風機２００を洗濯乾燥機に搭載することによって、電動送風機２００の振動を低減することができ、振動による騒音を低減することができる。その結果、洗濯乾燥機の乾燥工程時の騒音を低減することができる。
【産業上の利用可能性】
【００５８】
以上のように、本発明にかかる電動送風機は、回転軸の傾き防止と振動伝達力を低減して、ファンの回転に伴うケーシングの振動を効果的に低減することができるので、乾燥装置等の用途に有用である。
【図面の簡単な説明】
【００５９】
【図１】本発明の実施の形態１の電動送風機の断面図
【図２】（ａ）同電動送風機の弾性体の側面図（ｂ）同弾性体の断面図
【図３】同電動送風機の作用図
【図４】同電動送風機の作用図
【図５】（ａ）本発明の実施の形態２の電動送風機の弾性体の側面図（ｂ）同弾性体の断面図
【図６】同電動送風機の作用図
【図７】（ａ）本発明の実施の形態３の電動送風機の弾性体の側面図（ｂ）同弾性体の断面図
【図８】同電動送風機の作用図
【図９】（ａ）本発明の実施の形態４の電動送風機の弾性体の側面図（ｂ）同弾性体の断面図
【図１０】本発明の実施の形態５の電動送風機の断面図
【図１１】同電動送風機の作用図
【図１２】本発明の実施の形態６における洗濯乾燥機の断面図
【図１３】同洗濯乾燥機の背面図
【図１４】従来の電動送風機の断面図
【符号の説明】
【００６０】
２００  電動送風機
２０１  ファン
２０２  ケーシング
２０３  モーター
２０３ａ  支持部
２０３ｂ  支持部
２０５  第１の弾性体（弾性体）
２０６  取付具
２０７  第２の弾性体（弾性体）
２０９  内周面
２１０  空間部
２１１  突起
【図１】
2010071086.tif 000003
【図２】
2010071086.tif 000004
【図３】
2010071086.tif 000005
【図４】
2010071086.tif 000006
【図５】
2010071086.tif 000007
【図６】
2010071086.tif 000008
【図７】
2010071086.tif 000009
【図８】
2010071086.tif 000010
【図９】
2010071086.tif 000011
【図１０】
2010071086.tif 000012
【図１２】
2010071086.tif 000013
【図１３】
2010071086.tif 000014
【図１１】
2010071086.tif 000015
【図１４】
2010071086.tif 000016